(57)【要約】【課題】  簡易な構造で信頼性を高めるとともにコストダウンを図ることのできるコネクタ構造を提供する。【解決手段】  本発明にかかる雌コネクタ２０は、雄コネクタが挿入される開口２１を二つ折り戸である蓋２３によって覆っているので、簡易な構造により、雌コネクタ２０内部への異物の混入を防止できる。また、蓋２３をコネクタハウジング２２と一体的に設けることにより、簡易な構造で開閉動作の信頼性を高めるとともにコストダウンを図ることができる。また、本発明にかかるコネクタ構造１０では、雌コネクタ２０を取付台３０に取付けることにより、蓋２３の受けリブ２３ｂが取付台３０の位置決め用突起３１Ｌ、３１Ｒに当接して蓋２３が自動的に開く。【選択図】  図１
2005235505.tif 000002
【特許請求の範囲】
【請求項１】
雄コネクタが挿入される開口に、当該開口を覆う蓋を備えた雌コネクタであって、
前記蓋が中央付近で折れる二つ折り戸であることを特徴とする雌コネクタ。
【請求項２】
前記蓋が、雌コネクタのコネクタハウジングと一体的に設けられていることを特徴とする請求項１に記載した雌コネクタ。
【請求項３】
雌コネクタと、前記雌コネクタを取付ける取付台とを備えたコネクタ構造であって、
雌コネクタは蓋を備え、コネクタ構造は、前記雌コネクタを前記取付台に取り付けることにより、前記蓋を開口させる開口手段を有することを特徴とするコネクタ構造。
【請求項４】
前記開口手段は、前記取付台の雌コネクタ取付面に設けられる前記雌コネクタのコネクタハウジング位置決め用の突起と、
前記蓋の前記開口に干渉しない位置に前記位置決め用突起と係合して前記蓋を開口させる受けリブとからなることを特徴とする請求項３に記載のコネクタ構造。
【請求項５】
前記蓋が中央付近で折れる二つ折り戸であることを特徴とする請求項３または請求項４に記載のコネクタ構造。
【発明の詳細な説明】
【技術分野】
【０００１】
本発明は雌コネクタおよびコネクタ構造に係り、例えば、自動車において配策されるワイヤハーネスの接続に使用される雌コネクタにおいて、非接続状態での雌コネクタ内部への異物混入を防止することのできる雌コネクタおよびコネクタ構造に関する。
【背景技術】
【０００２】
従来より、図３に示すような、コネクタ内部への異物混入を防止するコネクタ構造が知られている（例えば特許文献１参照）。
このコネクタ構造１００では、雌コネクタ１０１に、雄コネクタ１２０を挿入する挿入口１０２を中央に有する外装カバー１０３が設けられている。この外装カバー１０３の内側には、外層カバー１０３の背面１０３ａに沿って上下に移動する縦方向スライド内装カバー１０４、１０５と、水平方向に移動する横方向スライド内装カバー１０６、１０７（図４参照）が設けられている。
縦方向スライド内装カバー１０４、１０５は、互いに接近した際に対向する端面同士が接触するようになっており、各端面には傾斜面１０４ａ、１０５ａが設けられている。横方向スライド内装カバー１０６、１０７も同様に互いに接近・離反自在に設けられており、図示はしないが傾斜面も同様に設けられている。
【０００３】
図４に示すように、外装カバー１０３の裏面１０３ａには、各内装カバー１０４、１０５、１０６、１０７の移動をガイドするガイド用リブ１０８が取付けられており、このガイド用リブ１０８は挿入口１０２を中心に配置した幅広の十字形状をしている。各内装カバー１０４、１０５、１０６、１０７は、ガイド用リブ１０８の内部において移動可能にガイドされるとともに、ばね１０９ａ、１０９ｂによって常時中心に向かって付勢されている。
従って、常時は縦方向スライド内装カバー１０４、１０５および横方向スライド内装カバー１０６、１０７によって、挿入口１０２が二重に蓋されることになる。
【０００４】
このようなコネクタ構造１００では、雄コネクタ１２０を雌コネクタ１０１の挿入口１０２に挿入すると、雄コネクタ１２０の先端がまず縦方向スライド内装カバー１０４、１０５の傾斜面１０４ａ、１０５ａを押して縦方向スライド内装カバー１０４、１０５を上下に押し開ける。
次いで、同様にして横方向スライド内装カバー１０６、１０７を左右に押し開けて、内部機器側コネクタ１１０に接続される。
【特許文献１】特開２００１−２０３０３２号公報（図２）
【発明の開示】
【発明が解決しようとする課題】
【０００５】
ところで、前述したようなコネクタ構造１００においては、蓋の開閉機構が複雑で、かつ、蓋を構成する内装カバー１０４、１０５、１０６、１０７やばね１０９ａ、１０９ｂ等の部品が小さく、雄コネクタ１２０の挿入時に破損したり、動作不良等のおそれがあり、信頼性に欠けるという不都合があった。また、部品点数が多いため、コストアップを招くという不都合があった。
【０００６】
本発明は、前述した問題点に鑑みてなされたものであり、その目的は、簡易な構造で信頼性を高めるとともにコストダウンを図ることのできる雌コネクタおよびコネクタ構造を提供することにある。
【課題を解決するための手段】
【０００７】
１）前述した目的を達成するために、本発明にかかる雌コネクタは、雄コネクタが挿入される開口に、当該開口を覆う蓋を備えた雌コネクタであって、前記蓋が中央付近で折れる二つ折り戸であることを特徴としている。
【０００８】
このように構成された雌コネクタにおいては、雄コネクタ挿入口である開口を二つ折り戸である蓋によって覆っているので、簡易な構造により、雌コネクタ内部への異物の混入を防止できる。
【０００９】
２）また、本発明にかかる雌コネクタは、前記蓋が、雌コネクタのコネクタハウジングと一体的に設けられていることを特徴とするものである。
【００１０】
このように構成された雌コネクタにおいては、開口を覆う二つ折れの蓋がコネクタハウジングと一体的に設けられているので、簡易な構造で開閉動作の信頼性を高めるとともに部品点数を減少させてコストダウンを図ることができる。
【００１１】
３）また、本発明にかかるコネクタ構造は、雌コネクタと、前記雌コネクタを取付ける取付台とを備えたコネクタ構造であって、雌コネクタは蓋を備え、コネクタ構造は、前記雌コネクタを前記取付台に取り付けることにより、前記蓋を開口させる開口手段を有することを特徴としている。
【００１２】
このように構成されたコネクタ構造においては、雌コネクタの蓋が開口手段により開口される。
【００１３】
４）また、本発明にかかるコネクタ構造は、前記開口手段は、前記取付台の雌コネクタ取付面に設けられる前記雌コネクタのコネクタハウジング位置決め用の突起と、前記蓋の前記開口に干渉しない位置に前記位置決め用突起と係合して前記蓋を開口させる受けリブとからなることを特徴としている。
【００１４】
このように構成されたコネクタ構造においては、雌コネクタのコネクタハウジングを取付台の位置決め用突起位置に取り付ける際に、突起が雌コネクタの開口を覆っている蓋に設けられている受けリブに当たるので、雌コネクタの取付台に対する取り付けと同時に蓋を開けることができる。
【００１５】
５）また、本発明にかかるコネクタ構造は、前記蓋が中央付近で折れる二つ折り戸であることを特徴としている。
このように構成されたコネクタ構造においては、蓋が中央付近で折れる二つ折り戸であるため、蓋の開口半径を小さくできる。
【発明の効果】
【００１６】
本発明によれば、従来のような部品点数が多いためコストアップを招いたり動作不良のおそれがあり信頼性に欠けるという問題を解消でき、これにより簡易な構造で確実に雌コネクタ内部への異物の混入を防止できるという効果が得られる。
【発明を実施するための最良の形態】
【００１７】
以下、本発明に係る実施形態を図面に基づいて詳細に説明する。図１は本発明の雌コネクタおよびコネクタ構造に係る実施形態を示す斜視図、図２（Ａ）は雌コネクタを取付台に取り付ける前の状態を示す側面図、（Ｂ）は取付台に取り付けた後の状態を示す側面図である。
【００１８】
図１に示すように、本発明の実施形態であるコネクタ構造１０は、雌コネクタ２０とこの雌コネクタ２０を取り付けるための取付台３０を備えている。
雌コネクタ２０は、前面に雄コネクタ挿入口である開口２１を有する矩形箱状のコネクタハウジング２２を有しており、コネクタハウジング２２の底板２２ａには、コネクタハウジング２２の内部に収容されている端子（図示省略）に接続される電線の導入部２４が設けられている。
【００１９】
開口２１には、開口２１を完全に覆うことができ、かつ、中央付近で折れる二つ折りの蓋２３が設けられている。蓋２３の上端には例えば薄肉にしたヒンジ部２３ｃが設けられており、このヒンジ部２３ｃを介してコネクタハウジング２２と一体的に設けられている。
蓋２３の中央部分２３ａにも例えば薄肉にしたヒンジ部が設けられており、中央部分２３ａがコネクタハウジング２２の内部に折れ曲がって二つ折りで開くようになっている。
なお、閉時においては、蓋２３の中央部分２３ａはコネクタハウジング２２の内部に入るように折れ曲がっている。これにより、蓋２３の下部を持ち上げたときに、蓋２３はスムーズに折れて開口できる。
【００２０】
蓋２３の下端部には、開口２１に干渉しない位置で左右両外側に張り出すように受けリブ２３ｂが設けられている。
従って、蓋２３が開閉する際には受けリブ２３ｂがコネクタハウジング２２の前端面２２ｂに沿って上下移動するので、蓋２３の下端部がコネクタハウジング２２の内部に入り込むことはない。このため、蓋２３の下部を引き下げることにより、容易に閉じることができる。
【００２１】
取付台３０における雌コネクタ２０の取り付け位置には、雌コネクタ２０の位置決めをする開口手段である左右一対の位置決め用突起３１Ｌ、３１Ｒが雌コネクタ取付面３３から上方に突出して設けられており、各位置決め用突起３１Ｌ、３１Ｒの上端は曲げられて水平部３１ａが設けられている。
位置決め用突起３１Ｌ、３１Ｒは切り起こしによって設けることができるが、別個に作成して取付面３０ａに取付けることも可能である。また、雌コネクタ２０の電線導入部２４に対応して切欠３２が設けられている。
【００２２】
次に、雌コネクタ２０を取付台３０に取付ける際の動作について説明する。
図２（Ａ）に示すように、取付台３０に取付ける前の雌コネクタ２０では、蓋２３は降りて開口２１を覆っている。この状態で、雌コネクタ２０を左右の位置決め用突起３１Ｌ、３１Ｒの間に位置決めして雌コネクタ２０を下降させると、雌コネクタ２０の蓋２３から左右に突出して設けられている開口手段である左右の受けリブ２３ｂが位置決め用突起３１Ｌ、３１Ｒの上端の水平部３１ａに当接する。従って、蓋２３の下端部は下降を停止するので、雌コネクタ２０の下降に伴って蓋２３の下端部は相対的に上昇する。これにより、図２（Ｂ）に示すように、蓋２３の中央部２３ａがコネクタハウジング２２の内側に折れて、蓋２３が開く。なお、雌コネクタ２０の電線導入部２４は、取付台３０の切欠３２に嵌合される。
【００２３】
以上、前述した雌コネクタ２０およびコネクタ構造１０によれば、雌コネクタ２０を取付台３０に取付ける前は、蓋２３が雌コネクタ２０の開口２１を覆っているので、簡易な構造で確実に雌コネクタ２０内部への異物混入を防止できる。また、雌コネクタ２０を取付台３０に取付けると、同時に蓋２３が開いて開口２１が露出するので、蓋２３の開閉動作の信頼性を高めることができる。また、雄コネクタの挿入作業が容易になるとともに、部品点数を少なくできるため、コストダウンを図ることができる。
【００２４】
なお、本発明の雌コネクタおよびコネクタ構造は、前述した実施形態に限定されるものでなく、適宜な変形，改良等が可能である。
例えば、前述した実施形態においては、開口手段である位置決め用突起３１Ｌ、３１Ｒおよび蓋２３の開口手段である受けリブ２３ｂを、各々左右一対設けたが、左右いずれか一方のみとすることも可能である。
また、位置決め用突起３１Ｌ、３１Ｒの形状および受けリブ２３ｂの形状は特に限定するものではない。雌コネクタ２０を取付台３０に取付ける際に、確実に受けリブ２３ｂを係止して蓋２３の下端部を停止させることができる形状であれば良い。
【図面の簡単な説明】
【００２５】
【図１】本発明の実施形態に係る雌コネクタおよびコネクタ構造を示す斜視図である。
【図２】（Ａ）は雌コネクタを取付台に取り付ける前の状態を示す側面図、（Ｂ）は取付けた後の状態を示す側面図である。
【図３】従来のコネクタ構造を示す断面図である。
【図４】図３のコネクタ構造における蓋の動きを示す正面図である。
【符号の説明】
【００２６】
１０  コネクタ構造
１０ａ  取付面
２０  雌コネクタ
２１  開口
２２  コネクタハウジング
２３  蓋
２３ｂ  受けリブ（開口手段）
３０  取付台
３１Ｌ、３１Ｒ  位置決め用の突起（開口手段）
【図１】
2005235505.tif 000003
【図２】
2005235505.tif 000004
【図３】
2005235505.tif 000005
【図４】
2005235505.tif 000006